(57)【特許請求の範囲】
【請求項１】
バーナと、該バーナの点火及び消火を指示するためのモーメンタリ型の運転スイッチと、該運転スイッチの入力状態に応じて該バーナの点火処理と消火処理とを実行する燃焼制御手段とを備えた燃焼装置において、
前記燃焼制御手段は、
前記バーナの燃焼中に前記運転スイッチが非入力状態から入力状態に切換わったときに前記バーナの消火処理を実行すると共に、その後最初に前記運転スイッチが入力状態から非入力状態に切換わった時点から所定時間が経過するまでの間を受付禁止期間として設定し、該受付禁止期間内で前記運転スイッチが非入力状態から入力状態に切換わったときには、前記バーナの点火処理を実行せず、
また、前記バーナが消火した状態で前記運転スイッチが非入力状態から入力状態に切換わったときに、前記バーナの点火処理を実行すると共に、前記受付禁止期間を設定せずに、その後最初に前記運転スイッチが非入力状態から入力状態に切換わったときには、前記バーナの消火処理を実行することを特徴とする燃焼装置。
【請求項２】
前記運転スイッチは、ヒンジにより第１の位置に向けて付勢して設けられ、使用者による押し圧操作により該第１の位置から第２の位置に移動するキートップと、該キートップと対向して回路基板に直付けして設けられ、該キートップが該第１の位置から該第２の位置に移動する過程で、該キートップから伝達される押し圧により非入力状態から入力状態に切換わると共に、該キートップが該第２の位置から該第１の位置に移動する過程で、該押し圧の減少により入力状態から非入力状態に切換わるタクトスイッチとからなることを特徴とする請求項１記載の燃焼装置。
【発明の詳細な説明】
【技術分野】
【０００１】
本発明は、ガスバーナの点火と消火を指示するスイッチを備えた燃焼装置に関する。
【背景技術】
【０００２】
従来より、例えばガスファンヒータにおいては、バーナの点火と消火を指示するためのモーメンタリ型の運転スイッチが備えられており、バーナの燃焼中に該運転スイッチが操作されたときには、バーナの消火処理を実行するようにしている。
【０００３】
そして、使用者がバーナを消火するために運転スイッチを操作したときに、その操作態様（手の震えによる運転スイッチに対する押し圧の変化等）によっては、運転スイッチが一旦非入力状態（例えばスイッチ接点が開いたＯＦＦ状態）から入力状態（例えばスイッチ接点が閉じたＯＮ状態）に切換わり、非入力状態に復帰した後に、再び入力状態に切換わってしまう場合がある。
【０００４】
この場合、最初に運転スイッチが非入力状態から入力状態に切換わったときにバーナが消火されるが、次に運転スイッチが非入力状態から入力状態に切換わったときに、使用者の意に反してバーナが再点火されてしまうという不都合がある。
【０００５】
ここで、図５（ａ）〜図５（ｃ）は、上段にバーナの状態（燃焼状態／消火状態）を示し、下段に運転スイッチの状態（ＯＮ状態／ＯＦＦ状態）を示したタイミングチャートである。そして、上記不都合に対処するため、図５（ａ）に示したように、バーナ燃焼中のｔ50で運転スイッチがＯＦＦ状態からＯＮ状態に切換わったときに、該切換わった時点ｔ50から一定時間Ｔbが経過するまでの間（ｔ50〜ｔ54）を受付禁止期間として、運転スイッチの受付を禁止するようにした構成が提案されている（例えば、特許文献１参照）。
【０００６】
この構成によれば、一定時間Ｔb内のｔ52で運転スイッチがＯＦＦ状態からＯＮ状態に切換わってもバーナの点火処理が実行されないため、運転スイッチの操作時間が短い（ｔ50〜ｔ51）使用者に対しては、受付禁止期間内での運転スイッチのＯＦＦ状態とＯＮ状態の切換わりにより、使用者の意に反してバーナの再点火がなされることを防止することができる。
【特許文献１】特開２００５−８３５９４号公報
【発明の開示】
【発明が解決しようとする課題】
【０００７】
使用者による運転スイッチの操作態様は様々であり、バーナの点火を指示する際に、運転スイッチを長く押す使用者もいる。そして、このように、使用者が運転スイッチを長く押した場合は、図５（ｂ）に示したように、使用者が運転スイッチの操作を終了して、運転スイッチがＯＮ状態からＯＦＦ状態に切換わったｔ61からｔ63までのＴ22が、実質的な受付禁止期間となる。そのため、上述した図５（ａ）における実質的な受付禁止期間Ｔ21よりも短くなる。
【０００８】
そして、使用者による運転スイッチの操作が更に長いときには、図５（ｃ）に示したように、使用者が運転スイッチの操作を終了して、運転スイッチがＯＮ状態からＯＦＦ状態に切換わったｔ71からｔ72までのＴ23が実質的な受付禁止期間となり、実質的な受付禁止期間が更に短くなる。
【０００９】
この場合は、次に運転スイッチがＯＦＦ状態からＯＮ状態に切換わったｔ73は、受付禁止期間Ｔbから外れている。そして、この場合には、例えば、使用者が運転スイッチを押す力を一瞬緩めたときや、指の震えにより一旦運転スイッチから離した指を無意識に運転スイッチに触れたとき、運転スイッチがＯＦＦ状態からＯＮ状態に切換わって、バーナが再点火されてしまう。
【００１０】
そこで、本発明は、バーナの消火を指示したときに、使用者の意に反してバーナの再点火がなされることをより確実に防止することができる燃焼装置を提供することを目的とする。
【課題を解決するための手段】
【００１１】
本発明は上記目的を達成するためになされたものであり、バーナと、該バーナの点火及び消火を指示するためのモーメンタリ型のスイッチと、該スイッチの入力状態に応じて該バーナの点火処理と消火処理とを実行する燃焼制御手段とを備えた燃焼装置に関する。
【００１２】
そして、前記燃焼制御手段は、前記バーナの燃焼中に前記運転スイッチが非入力状態から入力状態に切換わったときに前記バーナの消火処理を実行すると共に、その後最初に前記運転スイッチが入力状態から非入力状態に切換わった時点から所定時間が経過するまでの間を受付禁止期間として設定し、該受付禁止期間内で前記運転スイッチが非入力状態から入力状態に切換わったときには、前記バーナの点火処理を実行せず、また、前記バーナが消火した状態で前記運転スイッチが非入力状態から入力状態に切換わったときに、前記バーナの点火処理を実行すると共に、前記受付禁止期間を設定せずに、その後最初に前記運転スイッチが非入力状態から入力状態に切換わったときには、前記バーナの消火処理を実行することを特徴とする。
【００１３】
かかる本発明によれば、前記運転制御手段は、前記バーナの燃焼中に前記スイッチが非入力状態から入力状態に切換わったときに前記バーナを消火すると共に、次に前記運転スイッチが入力状態から非入力状態に切換わった時点から所定時間が経過するまでの間を受付禁止期間として設定する。
【００１４】
この場合、前記受付禁止期間は、使用者が前記運転スイッチの操作を完了して、前記運転スイッチが入力状態から非入力状態に切換わった時点を始点とする。そのため、使用者が前記運転スイッチを長く操作した場合であっても、該操作が完了してから前記受付禁止期間が経過するまでの間は前記運転スイッチの受付が禁止され、前記運転スイッチの操作態様により前記バーナが再点火されることをより確実に防止することができる。
【００１６】
さらに、本発明によれば、使用者が前記スイッチを操作して前記バーナを点火させたときには、前記燃焼制御手段による前記受付禁止期間の設定はなされない。そのため、使用者が前記運転スイッチを操作したときに、前記燃焼制御手段により前記バーナが速やかに消火され、消火のタイミングが遅れることがない。
【００１７】
また、前記スイッチは、ヒンジにより第１の位置に向けて付勢して設けられ、使用者による押し圧操作により該第１の位置から第２の位置に移動するキートップと、該キートップと対向して回路基板に直付けして設けられ、該キートップが該第１の位置から該第２の位置に移動する過程で、該キートップから伝達される押し圧により非入力状態から入力状態に切換わると共に、該キートップが該２の位置から該第１の位置に移動する過程で、該押し圧の減少により入力状態から非入力状態に切換わるタクトスイッチとからなることを特徴とする。
【００１８】
かかる本発明においては、前記スイッチを構成する前記タクトスイッチが回路基板に直付けされている。そのため、使用者が前記スイッチの前記キートップを押し圧操作して、この押し圧が前記タクトスイッチに伝達され、前記タクトスイッチが非入力状態から入力状態に切換わったときに回路基板に撓みが生じる。そして、この撓みが大きいと、詳細は後述するが、使用者が前記キートップから指を離して回路基板の撓みが減少する過程で、前記タクトスイッチが瞬間的に入力状態と非入力状態との間で複数回に亘って切換わることが生じ得る。
【００１９】
そのため、前記燃焼制御手段により、前記バーナの消火処理を実行したときに、その後最初に前記スイッチが入力状態から非入力状態に切換わった時点から所定時間が経過するまでの間を受付禁止期間として設定することによって、このような回路基板の撓みに起因する前記タクトスイッチの入力状態と非入力状態の切換わりが生じたときに、使用者の意に反して前記バーナの再点火がなされることを防止することができる。
【発明を実施するための最良の形態】
【００２０】
本発明の実施の形態について、図１から図４を参照して説明する。図１は本発明の燃焼装置であるガスファンヒータの制御ブロック図であり、ガスファンヒータは、ガスファンヒータの全体的な作動を制御するコントローラ１０と、ガスファンヒータの上面に備えられた操作パネル２０と、バーナ（図示しない）の燃焼状態を検出する熱電対１２と、バーナの点火電極に高電圧を印加して火花放電を生じさせるイグナイタ１３と、バーナに燃料ガスを供給するガス供給管（図示しない）を開閉する電磁弁１４と、該ガス供給管の開度を調節する比例弁１５と、バーナに燃焼用空気を供給すると共にバーナにより加熱された空気を温風として温風吹出し口（図示しない）から室内に送出するファン１６と、室温を検出する室温センサ１７とを備えている。
【００２１】
コントローラ１０は、マイクロコンピュータやメモリ等から構成される電子ユニットであり、暖房運転を実行する運転制御手段１１を備えている。また、操作パネル２０には、各スイッチの操作が不能なロック状態のセット／リセットを指示するためのロックスイッチ２１、ロック状態であるときに点灯するロックランプ２２、設定室温を変更するための室温ＤＯＷＮスイッチ２６及び室温ＵＰスイッチ２７、現在室温又は設定室温を表示する室温表示部２５、室温表示部２５に設定室温が表示されているときに点灯する設定室温ランプ２３、室温表示部２５に現在室温が表示されているときに点灯する現在室温ランプ２４、室温が設定室温に達したときに設定室温より低く室温調節をするオートセーブ運転の実行中に点灯するオートセーブランプ２８、エアフィルター（図示しない）のほこり詰まりを報知するフィルターランプ２９、バーナの燃焼中に点灯する燃焼ランプ３０、及び、暖房運転の開始と停止を指示するための運転スイッチ３１（本発明のバーナの点火及び消火を指示するためのモーメンタリ型の運転スイッチに相当する）を備えている。
【００２２】
なお、使用者がロックスイッチ２２を操作するとロック状態となり、該ロック状態で使用者がロックスイッチ２２を長押し操作（例えば１秒間以上）することで、ロック状態が解除される。
【００２３】
また、室温表示部２５には、通常は現在室温が表示され、使用者により室温ＤＯＷＮスイッチ２６又は室温ＵＰスイッチ２７が操作されたときに設定室温に切換わる。そして、室温ＤＯＷＮスイッチ２６及び室温ＵＰスイッチ２７の操作が終了してから約１０秒が経過した時に、室温表示部２５の表示が設定室温から現在室温に切換わる。
【００２４】
また、各スイッチ（ロックスイッチ２１、室温ＤＯＷＮスイッチ２６、室温ＵＰスイッチ２７、運転スイッチ３１）は、モーメンタリ型（自動復帰型）のスイッチであり、使用者が押し圧操作している間だけ、接点がＯＮ状態（入力状態）となり、使用者が押し圧操作を終了すると接点がＯＦＦ状態（非入力状態）に復帰する。なお、使用者が押し圧操作している間だけ、接点がＯＦＦ状態（入力状態）となり、使用者が押し圧操作を終了すると接点がＯＮ状態（非入力状態）となる仕様のスイッチを用いてもよい。
【００２５】
ここで、図２は操作パネル２０の縦断面図であり、操作パネル２０の各スイッチは、回路基板５０に直付けされたタクトスイッチ６０と、スペーサ部５２に回路基板５０が螺子５２により取り付けられたケース５１に、ヒンジ６１を介して装着されたキートップ６２とからなる。そして、各スイッチはヒンジ６１により上方に付勢されており、使用者の指Ｆによる押し圧操作により、キートップ６２が下降してタクトスイッチ６０に当接し、タクトスイッチ６０がＯＮ状態となる。このとき、使用者の指Ｆによる押し圧が高いと回路基板５０の下方への撓みが大きくなる。
【００２６】
なお、キートップ６２が使用者により操作されておらず、キートップ６２が上方にある定常位置が本発明の第１の位置に相当する。また、キートップ６２が使用者により操作されて、下方に移動してタクトスイッチ６０に当接し、タクトスイッチ６０がＯＮ状態となっている位置が本発明の第２の位置に相当する
そして、使用者の指Ｆがキートップ６２から離れると、ヒンジ６１による付勢力によってキートップ６２がタクトスイッチ６０から離れて定常位置に戻る。このとき、回路基板５０の下方への撓みが大きかった場合には、キートップ６２が回路基板５０よりも先に定常状態に復帰してタクトスイッチ６０から離れ、タクトスイッチ６０がＯＮ状態からＯＦＦ状態に切換わる。
【００２７】
そして、続いて回路基板５０が反動で上方に撓み、タクトスイッチ６０がキートップ６２に当接して瞬間的にタクトスイッチ６０がＯＦＦ状態からＯＮ状態に切換わってから、回路基板５０の撓みが減少してタクトスイッチ６０がＯＦＦ状態となる。
【００２８】
このように、タクトスイッチ６０が回路基板５０に直付けされているときには、キートップ６２が押し圧操作されたときの回路基板５０の撓みの影響によって、使用者がキートップ６２から指を離すときに、タクトスイッチ６０が瞬間的にＯＮ状態→ＯＦＦ状態→ＯＮ状態となってから、ＯＦＦ状態となることが生じ得る。
【００２９】
次に、図３を参照して、暖房運転の実行中であってバーナが燃焼状態にあるときに、使用者が運転スイッチ３１を操作した場合の運転制御手段１１による処理について説明する。
【００３０】
図３（ａ）〜図３（ｃ）は、上段にバーナの状態（燃焼状態／消火状態）を示し、下段に運転スイッチ２１の状態（ＯＮ状態／ＯＦＦ状態）を示したものである。図３（ａ）を参照して、運転制御手段１１は、バーナの燃焼中に、ｔ10で運転スイッチ３１が操作されたとき（運転スイッチ３１がＯＦＦ状態からＯＮ状態に切換わった時）に、電磁弁１４を閉弁してバーナを消火する。
【００３１】
そして、運転制御手段１１は、その後、最初に運転スイッチ３１がＯＮ状態からＯＦＦ状態に復帰した時点ｔ11からＴa（本発明の所定時間に相当する）が経過するまでの間（ｔ11〜ｔ14）を、運転スイッチ３１の操作を受け付けない受付禁止期間として設定する。これにより、使用者が運転スイッチ３１を操作して暖房運転の停止を指示し、バーナの消火処理が実行されたときに、運転スイッチ３１がＯＦＦ状態に復帰した後に誤って運転スイッチ３１に触れたり、運転スイッチ３１に対する押し圧を瞬間的に緩めて、受付禁止期間内のｔ12で運転スイッチ３１がＯＦＦ状態からＯＮ状態に切換ったときには、バーナが再点火されないようにしている。
【００３２】
また、図２を参照して、上述したように、使用者が運転スイッチ３１から指を離すときに、回路基板５０の撓みの影響により、運転スイッチ３１を構成するタクトスイッチ６０が、瞬間的にＯＮ状態→ＯＦＦ状態→ＯＮ状態と切換わってから、ＯＦＦ状態になっても、このようなタクトスイッチ６０の状態の切換わりが受付禁止期間内で生じたときには、２回目のＯＦＦ状態からＯＮ状態への切換わりは受付けられない。
【００３３】
そのため、１回目のＯＦＦ状態からＯＮ状態への切換わりにより、バーナが消火された後、回路基板５０の撓みに起因する２回目のＯＦＦ状態からＯＮ状態への切換わりによって、使用者の意に反して、再びバーナの点火がなされることを防止することができる。
【００３４】
なお、受付禁止期間が経過した後のｔ15で運転スイッチ３１がＯＦＦ状態からＯＮ状態に切換ったときには、運転制御手段１１はバーナに点火して暖房運転を開始する。
【００３５】
そして、このように、運転スイッチ３１がＯＮ状態からＯＦＦ状態に切換った時点ｔ11から所定時間Ｔaが経過するまでの間（ｔ11〜ｔ14）を、受付禁止期間とすることで、図３（ｂ）及び図３（ｃ）に示したように、使用者が運転スイッチ３１を長く押して暖房運転の停止を指示したときであっても、使用者の誤操作によってバーナが再点火されることを防止することができる。
【００３６】
図３（ｂ）は、ｔ20で使用者が運転スイッチ３１の操作を開始（運転スイッチ３１がＯＦＦ状態からＯＮ状態に切換る）した後、ｔ21及びｔ23で例えば運転スイッチ３１を押す力を一瞬緩めてしまった場合を示している。ｔ21〜ｔ22とｔ23〜ｔ24で運転スイッチ３１がＯＮ状態から瞬間的にＯＦＦ状態に切換わった後に、運転スイッチ３１がＯＮ状態に復帰している。
【００３７】
この場合、運転スイッチ３１がＯＦＦ状態からＯＮ状態に切換ったｔ22とｔ24が、共に受付禁止期間（ｔ21〜ｔ25）内であるため、運転制御手段１１は暖房運転を開始せず、バーナの点火処理を実行しない。
【００３８】
次に、図３（ｃ）は、使用者による運転スイッチ３１の操作時間が短い場合を示している。ｔ30〜ｔ31で使用者が運転スイッチ３１を操作した直後に、例えば誤ってｔ32〜ｔ33で運転スイッチ３１に触れてしまった場合を示しており、ｔ31から所定時間Ｔaが経過するまでの間（ｔ31〜ｔ34）が受付禁止期間に設定されている。
【００３９】
この場合、誤操作により運転スイッチ３１がＯＦＦ状態からＯＮ状態に切換ったｔ32は、受付禁止期間（ｔ31〜ｔ34）内であるため、運転制御手段１１は暖房運転を開始せず、バーナの点火処理を実行しない。なお、受付禁止期間（ｔ31〜ｔ34）が経過した後のｔ35で運転スイッチ３１がＯＦＦ状態からＯＮ状態に切換ったときには、運転制御手段１１は暖房運転を開始してバーナの点火処理を実行する。
【００４０】
次に、図４を参照して、暖房運転が停止してバーナが消火状態にあるときに、使用者が運転スイッチ３１を操作した場合の運転制御手段１１による処理について説明する。
【００４１】
図４は、図３（ａ）〜図３（ｃ）と同様に、上段をバーナの状態（燃焼状態／消火状態）を示し、下段に運転スイッチ３１の状態（ＯＮ状態／ＯＦＦ状態）を示したものである。運転制御手段１１は、ｔ40で運転スイッチ３１が操作されたとき（運転スイッチ３１がＯＦＦ状態からＯＮ状態に切換った時）に、バーナの点火処理を実行して暖房運転を開始する。
【００４２】
そして、この場合は、図３（ａ）〜図３（ｃ）とは異なり、運転制御手段１１は、ｔ41で運転スイッチ３１がＯＮ状態からＯＦＦ状態に切換ったときに、受付禁止期間を設定しない。そのため、ｔ42で使用者が運転スイッチ３１を操作したときに、運転制御手段１１は直ちにバーナを消火して暖房運転を停止する。これにより、使用者が暖房運転の停止操作をしたにも拘らず暖房運転が継続されてバーナの消火処理が実行されず、使用者に違和感や不安感を与えることを防止することができる。
【００４３】
なお、本実施の形態では、本発明の燃焼装置としてガスファンヒータを示したが、ガスコンロ等のバーナ及びバーナの点火／消火を指示するためのスイッチを備えた燃焼装置であれば、本発明の適用が可能である。
【図面の簡単な説明】
【００４４】
【図１】ガスファンヒータの制御ブロック図。
【図２】操作パネルの取り付けられたスイッチの縦断面図。
【図３】バーナが燃焼状態であるときに運転スイッチが操作された場合のタイミングチャート。
【図４】バーナが消火状態であるときに運転スイッチが操作された場合のタイミングチャート。
【図５】従来のガスファンヒータにおいて、バーナが燃焼状態であるときに運転スイッチが操作された場合のタイミングチャート。
【符号の説明】
【００４５】
１０…コントローラ、１１…運転制御手段、２０…操作パネル、３１…運転スイッチ、５０…回路基板、５１…（操作パネルの）ケース、６０…タクトスイッチ、６１…ヒンジ、６２…キートップ
【図１】
0005046295.tif 000002
【図２】
0005046295.tif 000003
【図３】
0005046295.tif 000004
【図４】
0005046295.tif 000005
【図５】
0005046295.tif 000006